(57)【要約】【課題】  事前印字してあるラベルを用いても実際に印字発行することなく、事前印字部分と印字項目との整合が可能なラベルプリンタを提供する。【解決手段】  ラベルプリンタ内部で事前印字フォーマットファイルの印字フォーマット毎に用紙イメージデータが関連付けて管理し、液晶表紙部を介して印字フォーマットに基づく印字項目イメージデータと印字フォーマットに関連付けられた用紙イメージデータとを重ね表示することにより、事前印字されたラベルであっても、設定した印字フォーマットがそれに合っているか否かをラベル印字することなく画面上で容易に確認できる。【選択図】      図１９
2005254499.tif 000002
【特許請求の範囲】
【請求項１】
印字フォーマット毎に少なくともフォーマット識別情報と各印字項目データのレイアウト情報とを設定できる印字フォーマットファイルを備え、当該印字フォーマットファイルから呼び出した印字フォーマットに基づいて各印字項目データをラベルに印字するラベルプリンタであって、
予め所定事項が印字されたラベルのイメージデータである用紙イメージデータを記憶する用紙イメージファイルと、
印字フォーマットファイルの印字フォーマット毎に前記用紙イメージデータを関連付けておき、印字フォーマットを特定し、所定の操作により前記各印字項目データをイメージ化した印字項目イメージデータと特定された印字フォーマットに関連付けられた用紙イメージデータとを重ね表示する表示手段と、
を備えたことを特徴とするラベルプリンタ。
【請求項２】
前記用紙イメージデータは各用紙イメージデータを識別するための用紙イメージ識別情報と共に記憶され、前記用紙イメージ識別情報が前記印字フォーマットに関連付けられていることを特徴とする請求項１に記載のラベルプリンタ。
【請求項３】
前記印字フォーマット設定の際に、前記印字項目イメージデータと前記用紙イメージデータとを前記表示手段に重ねて表示することを特徴とする請求項１または２に記載のラベルプリンタ。
【請求項４】
前記印字フォーマット設定の際に、前記用紙イメージデータが前記印字項目イメージデータより下層となるように前記表示手段に重ねて表示し、該表示された印字項目イメージデータの位置を所定の操作により可変設定することを特徴とする請求項１〜３のいずれか１項に記載のラベルプリンタ。
【請求項５】
前記印字項目イメージデータは印字項目の印字エリアを示すことを特徴とする請求項１〜４のいずれか１項に記載のラベルプリンタ。
【請求項６】
前記表示手段による表示の際に、前記印字項目イメージデータと用紙イメージデータとを異なる色で表示することを特徴とする請求項１〜５のいずれか１項に記載のラベルプリンタ。
【発明の詳細な説明】
【技術分野】
【０００１】
本発明は、印字フォーマットファイルを備え、当該印字フォーマットファイルから呼び出した印字フォーマットに基づいて各印字項目データを商品などに貼付されるラベルに印字する、ラベルプリンタに関する。
【背景技術】
【０００２】
多数のラベルが台紙に貼付され巻回されたラベルロールを用い、各ラベルに所定事項を印字するラベルプリンタがある。また、ラベルに印字する各印字項目をラベル上のどの位置に印字するかを決める印字フォーマットを用い、必要な印字項目を所定の位置に印字させることができるラベルプリンタが知られている（例えば、特許文献１参照）。
さらに、設定した印字フォーマットをラベルプリンタの表示部に表示させ、実際に印字する前に設定した印字項目がラベル上のどの位置にどの大きさで設定されているかを確認することができる技術も既に確立されている。
【０００３】
昨今では使用するラベルの多様化が進み、形態の様々なものが市場に投入されてきている。例えば、ラベルそのものに予め所定のデザインが施されており、ラベル上の印字すべきエリアのみが空白になって、当該空白の場所に所定のデータを印字するようなラベル、あるいは、例えば印字するデータが何を意味するものかが予めラベルに印字されており、ラベル上の決ったエリアに所定のデータを印字するようなラベルも用いられるようになった。
【特許文献１】特開平９−２４６５４号公報
【発明の開示】
【発明が解決しようとする課題】
【０００４】
上記した予めデザインや文字等がラベル上に印刷されている、いわゆる事前印字がなされているラベルを使う場合、上記した印字フォーマットを画面に表示する技術では、あくまで設定した印字項目を表示するだけであるため、事前印字部分との位置関係あるいは字の大きさの関係などがわからず、該関係を確認するには設定した印字フォーマットで実際に印字して確認するしかなく、従って、ラベルの無駄が多くなるという欠点があった。
【０００５】
本発明は上記事情に鑑みてなされたものであり、事前印字してあるラベルを用いても実際に印字発行することなく、事前印字部分と印字項目との整合が可能なラベルプリンタを提供することを目的とする。
【課題を解決するための手段】
【０００６】
上記した課題を解決するために本発明は、印字フォーマット毎に少なくともフォーマット識別情報と各印字項目データのレイアウト情報とを設定できる印字フォーマットファイルを備え、当該印字フォーマットファイルから呼び出した印字フォーマットに基づいて各印字項目データをラベルに印字するラベルプリンタであって、予め所定事項が印字されたラベルのイメージデータである用紙イメージデータを記憶する用紙イメージファイルと、  印字フォーマットファイルの印字フォーマット毎に前記用紙イメージデータを関連付けておき、印字フォーマットを特定し、所定の操作により前記各印字項目データをイメージ化した印字項目イメージデータと特定された印字フォーマットに関連付けられた用紙イメージデータとを重ね表示する表示手段と、を備えたことを特徴とする。
【０００７】
本発明によれば、事前に印字フォーマットファイルの印字フォーマット毎に用紙イメージデータが関連付けられ、印字フォーマットに基づく印字項目イメージデータと印字フォーマットに関連付けられた用紙イメージデータとを重ねて表示することにより、事前印字されたラベルであっても、設定した印字フォーマットがそれに合っているか否かをラベル印字することなく画面上で容易に確認することができる。
【０００８】
また、前記用紙イメージデータは各用紙イメージデータを識別するための用紙イメージ識別情報と共に記憶され、前記用紙イメージ識別情報が前記印字フォーマットに関連付けられていることを特徴とする。
本発明によれば、各用紙イメージデータを識別するための用紙イメージ識別情報が各印字フォーマットに関連付けられるため、各印字フォーマットデータのデータ量が少なくでき、メモリを効率的に使用することができる。
【０００９】
また、前記印字フォーマット設定の際に、前記印字項目イメージデータと前記用紙イメージデータとを前記表示手段に重ねて表示することを特徴とする。
本発明によれば、フォーマットデータ設定操作の際に印字項目イメージデータと用紙イメージデータとを重ねて表示するため、印字位置や字の大きさなどを確認しながら印字フォーマット設定操作ができる。
【００１０】
また、前記印字フォーマット設定の際に、前記用紙イメージデータが前記印字項目イメージデータより下層となるように前記表示手段に重ねて表示し、該表示された印字項目イメージデータの位置を所定の操作により可変設定することを特徴とする。
本発明によれば、用紙イメージデータが印字項目イメージデータの下層になるように重なり表示され、当該用紙イメージデータが表示されたままの状態で印字項目イメージデータの位置を可変設定することができるので、用紙イメージデータに影響を与えず更に用紙イメージデータとの位置関係を見ながら印字位置を可変することができるので印字項目イメージデータを正確な位置に容易に修正することができる。
【００１１】
また、前記印字項目イメージデータは、印字項目の印字エリアを示すことを特徴とする。
本発明によれば、印字項目イメージデータは印字項目の印字エリアを示すため、画面上で印字エリアがはっきりとわかるので背景画像である用紙イメージデータとの位置関係が容易にわかる。
【００１２】
また、前記表示手段による表示の際に、前記印字項目イメージデータと用紙イメージデータとを異なる色で表示することを特徴とする。
本発明によれば、印字項目イメージデータと用紙イメージデータとが異なる色で表示されるので、確認作業が容易になる。
【発明の効果】
【００１３】
本発明によれば、事前に印字してあるラベルを用いても事前印字部分と印字項目との整合を、実際に印字発行することなく、画面上で容易に確認することが可能なラベルプリンタを提供することができる。
また、印字フォーマットデータ設定操作の際に印字項目イメージデータと用紙イメージデータとを重ねて表示するため、印字位置や字の大きさなどを確認しながら印字フォーマットの設定操作が可能であり、更に、用紙イメージデータに影響を与えず更に用紙イメージデータとの位置関係を見ながら印字位置を可変することができるので印字項目イメージデータを正確な位置に容易に修正することができるため、操作性の向上がはかれる。
【発明を実施するための最良の形態】
【００１４】
図１は、本発明のラベルプリンタの概略構成を示す図である。図１において、１は印字ヘッド１、１２はプラテンローラ１２である。用紙ガイド９とロールセット軸６のセンタリングは印字部１３の中心に合わせてある。
ラベル用紙８は、ラベル用紙ロールセット軸にセットする。そして、レバー２を回して印字ヘッド１を上げて、印字部１３付近に用紙をセットする隙間を作り、ラベル用紙８が用紙ガイドの下端を通るようにする。そして、プラテンローラ１２の下流にあるディスペンサー１１を回すようにし、更に、ラベル用紙先端部を巻取軸に挟むようにする。そして最後に抑え板をロールセット軸に嵌める。
【００１５】
ラベル用紙ロール４は、ラベルが所定ギャップ毎、連続的に貼付されたラベル用紙８が巻回されたもので、ラベル用紙ロール４より繰り出されたラベル用紙８は用紙ガイド９に案内され、印字部１３に導かれる。
そして、印字部１３では印字ヘッド１によりラベルに印字され、ラベル用紙８がプラテンローラ１２の先端部で鋭角状に折り曲げられた状態になり、ラベルが台紙から剥離され、台紙は巻取軸に巻き取られる。
【００１６】
図２は、本発明のラベルプリンタの外観構造を正面から見た図である。図２において、表示操作部２１は、液晶表示部の上にタッチパネルが積層された構造を有している。そして、選択した印字したい項目などを表示させる。又、タッチパネルを用いて各印字項目のデータや印字フォーマットなどを設定することができる。
テンキー部２２には、品番キーの他、数字キー、ラベルフィードキー、消去キー、発行キー、レイアウトキーなどが割付けられている。レイアウトキーは、後述のように特定した印字フォーマットの各データ設定画面で押下されると、当該印字フォーマットに設定されている各印字項目の印字内容が、設定されている印字位置、フォントのタイプなどのレイアウト情報に基づいてイメージ化されて表示される（以下、印字項目イメージデータと言う）。そして、この印字項目イメージデータと、当該印字フォーマットと関連付けられている用紙イメージデータとが表示操作部２１を構成する液晶表示部に重なって表示される。図６にその画面構成の一例が示されている。
【００１７】
また、２３は電源スイッチ、２４はメモリメカード挿入口である。挿入されるメモリカードには、用紙イメージフォイルや印字フォーマットファイルなどが記憶されるメモリカードと、その他履歴データなどが記憶されるメモリカードがある。２５は、ラベル発行口である。ラベルを発行させたい場合は、ラベル発行したいフォーマットを表示操作部２１に表示させ、印字したいラベルの枚数の“数字キー”と“発行キー”を押すことで、商品の内容が印字されたラベルが所定枚数発行される。
【００１８】
図３は、本発明におけるラベルプリンタの電気系の構成を示すブロック図である。本発明のラベルプリンタは、ＣＰＵ３１を核に、タッチパネル制御部３５（タッチパネル、液晶表示部）、テンキー部２２、印字部１３、ＲＯＭ３２、ＲＡＭ３３などから構成され、これらがアドレス、データ、コントロールのためのラインが複数本で構成されるバスに共通接続されて成る。なお、図中、図１、図２と同一番号が付されたブロックは、図１に示すそれと同じとする。
【００１９】
ＣＰＵ３１は上記した各制御ブロックの動作を制御するための情報処理を行う。表示操作部２１は、タッチパネルが液晶表示器の上に積層されており、上記したタッチパネル制御部３５を介して制御される。
液晶表示部は、印字部１３に送信される印字データや発行枚数データなどをデジタル的に表示するものである。また、タッチパネルにより操作され印字フォーマットや各印字項目などのデータを作成し、ＣＰＵ３１を介してＲＡＭ３３に所定のデータを記憶させる。また、ＲＡＭ３３に記憶された印字フォーマットや各印字項目のデータをＣＰＵ３１の制御に基づきＲＡＭ３３の所定エリアに展開し、当該印字項目イメージデータと用紙イメージデータとを、タッチパネルの液晶表示部に階層構造的に表示させる。そして、用紙イメージデータをＣＰＵ３１の制御により印字項目イメージデータの下層に表示させることで、背景画像である用紙イメージデータと各印字項目の印字項目イメージデータとを重ねて表示することができる。このことにより、両イメージデータの位置関係などが容易に分かる。
尚、各印字項目データの印字項目イメージデータは、例えば同一レイヤーで多階層構造的に表示するようににしても良い。
【００２０】
印字部１３は、ＲＡＭ３３からＣＰＵ３１を介して転送される印字データを発行枚数データに基づき、当該データを連続的に印字させるものである。尚、印字ヘッド１として、ここではサーマルヘッドを用いている。
ＲＯＭ３２はＣＰＵ３１によって実行される制御プログラムが格納されている。好ましくはフラッシュメモリを用いる。これにより、古いＲＯＭをソケットから抜き、新しいＲＯＭに指し替えるといった面倒な作業が不要になる。ＲＡＭ３３は各種データを記憶するメモリである。ここでは、印字フォーマットファイルや用紙イメージファイルなどが記憶される。また、その他作業用の領域（ワークエリア）も割当てられる。
なお、印字フォーマットファイルや用紙イメージファイルを記憶保存する場合にはＲＡＭカードを用いても良い。これによりデータの移行などが簡単に行える。
【００２１】
ここで、印字フォーマットファイルについて図４を参照しながら説明する。印字フォーマットとは、各印字項目データについてのラベル上での印字位置（水平Ｘ座標，垂直Ｙ座標）、印字のエリア、フォントタイプなどを規定するものである。
つまり、印字データ（印字内容）があっても印字フォーマットが正しくなければ、所定の印字データはラベル上に正しく印字されない。ここでは、印字フォーマットを設定する過程で、各印字項目データ（印字内容）も設定することができる仕様で説明する。
しかし、これに限らず印字フォーマットとは別に、各印字データを設定する商品データファイルあるいは商品データベースなどを設け、使用する商品データに所定の印字フォーマットを割当てるようにしても良い。
【００２２】
図４にその一例が示されるように、印字フォーマットとして、各印字フォーマットを識別するためのフォーマット番号前記印字項目イメージデータフォーマット名、印字項目データの印字を開始する始点位置を示す水平Ｘ座標、垂直Ｙ座標、印字エリア自体の幅と高さを定める文字幅、文字高、各印字項目データのフォントのタイプ、当該印字フォーマットで関連づけられる背景画像の選択（用紙イメージデータ）、使用するラベル幅などが記憶されている。
【００２３】
ここでフォーマット番号、あるいはフォーマット名がフォーマット識別情報に該当する。ただし、これに限定されることはない。各印字フォーマットを識別できるものであればよい。又、水平Ｘ座標，垂直Ｙ座標、フォントタイプ、使用するラベル幅などがレイアウト情報に該当する。ただし、これに限定されることはない。つまり、フォントタイプなどは、固定のものでよい。
【００２４】
尚、「水平Ｘ座標」は、対応項目の印字エリアについて、印字時におけるラベル用紙の進行方向と直交する方向における基点を、ドット単位で示す値である。また、「垂直Ｙ座標」は、対応項目の印字エリアについて、上記進行方向における基点をドット単位で示す値である。又、「文字高」は対応する印字項目データの印字エリアのＹ座標方向のドット数であり、「文字幅」は、対応する印字項目データの印字エリアのＸ座標方向のドット数である。つまり、「文字幅」のドット数も増やすと、印字エリアの横幅が広がり、「文字高」のドット数を増やせば、印字エリアの高さが広がる。なお、「背景画像の選択」には、事前印字されているラベルの用紙イメージデータが設定される。
【００２５】
次に図５を用い、用紙イメージファイルの一例について説明する。事前印字されているラベルのイメージデータがスキャナーなどで読み込まれ、例えば、ビットマップファイル形式で保存記憶される。
用紙イメージデータは、ラベルプリンタに付属の不図示のスキャナーによってラベルに予め印字されている絵や文字などを読み込みビットマップとしてファイルデータを生成し、あるいはＰＣなどで生成されたビットマップファイルデータをＳＲＡＭカードなどに記憶させ、当該ファイルに記憶保存させるようにしても良い。
【００２６】
ここでは、一つのラベルのイメージデータを用紙イメージデータとし、当該データが複数設定可能なファイルを用紙イメージファイルとする。また、各用紙イメージデータの名称と共に各データを識別するための識別情報、例えばシリアル番号として１〜４の数字が記憶されている。（用紙イメージ識別情報）そして、当該シリアル番号１〜４の数字が図４の「背景画像の選択」に記憶される。
【００２７】
次に、図６を用いて事前印字がなされているラベルの例を説明する。ここでは、ラベルの大半の部分を白菜、茄子、きゅうりのイメージデータで占めたラベルで、空白の個所に、例えば商品の値段￥３５０を印字する。白菜、茄子、きゅうりなどは用紙イメージデータであり、点線で囲まれた枠部分は値段という印字項目データの印字エリアを示すもので、「￥３５０」は印字項目データ「￥３５０」に該当するレイアウト情報に基づく印字項目イメージデータとして表示される。
【００２８】
後述するが、本発明によればこのように、用紙イメージデータと印字項目イメージデータとが同一画面上でなって表示され、該画面上で、テンキー部２２を用い、印字項目イメージデータを上下左右に移動させることができ、使用する用紙イメージデータに対し各印字項目イメージデータの位置を画面上で確認することができる。
【００２９】
以下、本発明実施形態の動作について図７〜図１９に示す操作画面を参照しながら詳細に説明する。
電源立ち上げるとＲＯＭ３２に記憶されているプログラムに基づき、ＣＰＵ３１が図７に示すメイン画面を表示操作部２１の液晶表示部に表示させる。以降の操作は、表示操作部２１のタッチパネルをタッチしながら、必要なデータを作成して処理が進む。
【００３０】
上記したように、表示操作部２１は、液晶表示部と液晶表示部の表面に密着して設けられた透明なタッチパネルが積層され構成されており、タッチパネルは、オペレータがタッチパネルの任意の点を指で接触するとその接触した位置をＸ、Ｙ座標としてＣＰＵ３１が検出するようになっている。そして、ＲＯＭ３２に記憶されているプログラムに基づき画像イメージデータを、タッチパネル制御部３５を介して液晶表示部に順次表示させる。メイン画面には、「発行」、「設定」、「点検」の各モードが表示される。「発行」はラベルを発行する場合に使うモード、「点検」は装置を点検するメンテナンスに関するモードである。
【００３１】
まず、「設定」ボタンが押下されることにより図８に示す設定メニューが表示され、ここで印字フォーマットを設定、あるいは呼び出すために「フォーマット設定」を選択する。このことにより、図９に示すフォーマット設定画面に遷移する。
図９のフォーマット設定画面において、使用するカードＮＯ（カード０、カード１、カード２）を選択し、更に使用するフォーマット名を選択し、「実行」キーを押す。フォーマット名が分からないときは「リスト」を押し各カードＮＯで設定されているフォーマットを一覧表示させて、その中から使用するフォーマットを選択するようにしても良い。また、新規作成する場合は、単に新規のファイル名を入力し「実行」キーを押すと、「新規に作成するか？」のメッセージが表示され新規なフォーマット名「物流１」とフォーマット番号「1」とが図４の印字フォーマットファイルに記憶され、次の操作に進む。なお、フォーマット番号は新たなフォーマット名が作成されると連続する番号が自動的に付与される。
【００３２】
このことにより、図１０に示す画面に遷移し、ここで、「パラメータ設定」ボタンを押下すると、図１１に示す画面に遷移する。図１１に示す画面では、ラベルサイズ、背景画像の種類などを設定する。そして、「リスト」をタッチすることで図５の用紙イメージファイルが呼び出される。そして、そのファイル中で選択された用紙イメージデータのシリアル番号が図１１の「背景画像の種類」に設定される。尚、ラベルサイズ、背景画像とも設定されると、図４の印字フォーマットファイルに記憶される。そして例えばラベル幅８０ｍｍ、ラベル長８０ｍｍキャップ長２ｍｍ、背景画像の種類として「１」が図１１で設定されると、同様のデータが図４の印字フォーマットファイルに記憶される。
【００３３】
図１１データを設定後、図１０に戻り、り、「アイテム編集」を選択する。アイテム編集では、各印字項目の印字データを作成する。そして、図１２に示す画面に遷移する。各印字項目の印字データが全く設定されていない場合は、「＊＊＊＊＊＊」のみが表示され、「＊＊＊＊＊＊」部を選択することにより、文字等を作成する為に図１３に示す画面に遷移する。
【００３４】
図１３に示す画面では、印字する／しない、文字列の設定、印字書式などを設定する。印字をする場合には「する」を選択する。そして、文字列の設定では「固定」と「入力」とから選択することができる。「固定」を選択すると、この画面から直接印字データを設定することができる。つまり、「固定」を選択すると例えば不図示のアルファベットキーが表示されて該キーボードを用いて文字の入力が可能になる。又、漢字や平仮名を入力する場合は、アルファベットキーを用いてローマ字入力し、平仮名や漢字に変換するようにしても良い。又、数字キーはテンキー部２２の数字キーを用いることで入力することができる。そして、たとえば一つの印字項目（印字内容）である「ＡＡＡ」を作成すると、図４の印字フォーマットファイルに１つの印字項目を識別するためのシリアル番号とともに、「ＡＡＡ」が記憶される。
【００３５】
尚、印字データの入力の仕方はこれに限定されない。例えばＰＣのキーボードを当該ラベルプリンタの外部機器として接続し、必要な文字等を入力するようにしても良い。又、予めアルファベットや平仮名などに識別番号を付しておき、該番号を入力することで文字等を入力するようにしても良い。
印字内容を作成した後は、図１４へ進む。図１４では図１３で作成した印字内容のフォントタイプなどを選択する。ここでも設定した各データは図４の印字フォーマットファイルにそれぞれ記憶される。
【００３６】
そして、更に進み、図１５では図１３で設定した印字内容につき、「文字幅」、「文字高」、「水平Ｘ座標」、「垂直Ｙ座標」などを設定する。
「文字幅」、「文字高」とは印字内容の印字エリアを決める数字であり、「文字幅」を大きくすると当該印字エリアの横幅が広がり、「文字高」を大きくすると当該印字エリアの高さが大きくなる。数字を小さくすればエリアは小さくなる。つまり、図１３で設定した「ＡＡＡ」の印字エリアを大きく又は小さく修正が可能である。
「文字間隔」を広げたい場合、又は「文字の角度」を変えたい場合はそれぞれ所望の数字を入力することで変更することができる。
【００３７】
「水平Ｘ座標」、「垂直Ｙ座標」は印字内容を印字開始する始点を意味する。つまり、この数字を変えることで所望の位置へ当該印字内容を移動させることができる。図１３でも今まで同様に設定した各データは図４の印字フォーマットファイルに記憶される。ここまで設定すると一つの印字項目の印字内容である「ＡＡＡ」とそれに関する印字フォーマットが設定されることになる。そしてこの時点で、図１２へ戻ると印字内容である「ＡＡＡ」が連続するシリアル番号と共に表示される。
以下同様に、他の印字項目の印字データである「ＢＢＢ」、「ＣＣＣ」、「ＤＤＤＤ」、「ＥＥＥＥＥ」を設定すると、図１２に該当する画面である図１９に示す画面が表示され、設定された各印字項目の印字データが表示される。
【００３８】
そして、図１９に示される画面中に表示される例えば「ＡＡＡ」を選択し、図１３、図１４、図１５に示す印字フォント設定の為のいずれかの画面に遷移する。そして、テンキー部２２に割り付けられた不図示のレイアウトキーを押下することで、図１６に示す画面が表示される。
【００３９】
すなわち、図４のフォーマット番号１で記憶されている各印字内容の印字項目イメージデータ「ＡＡＡ」、「ＢＢＢ」、「ＣＣＣ」、「ＤＤＤＤ」、「ＥＥＥＥＥ」と、図４のフォーマット番号１に関連付けされている背景画像の種類の用紙イメージデータとが重なって表示される。ここで、「センター」、「コース」、「路順」、「店番号」、「店様」、「店名」、実線はラベルに事前に印字されている用紙イメージデータである。
尚、図１７は、用紙イメージデータだけを表示させたものである。つまり、図１６は、用紙イメージデータに各印字項目の印字項目イメージデータである「ＡＡＡ」、「ＢＢＢ」、「ＣＣＣ」、「ＤＤＤＤ」、「ＥＥＥＥＥ」が重ねて表示されることになる。
【００４０】
また、各印字項目の印字データは点線で四角の枠で囲まれて表示される。この点線で囲まれているエリアが印字エリアで、図１５に示す画面に設定された「文字幅、」、「文字高」に対応する。但し、枠は上記点線に限らない。直線でも良いし、二重の直線でも良い。印字エリアが把握できれば良い。
従って、重なったイメージデータで確認して各印字項目の印字エリアを拡大したい、あるいは縮小したい場合は、図１６に示す画面からテンキー部２２の「消去」キーを押下することで、図１３〜１５に示す画面に戻る。そして、図１５の「文字幅」、「文字高」の数字をテンキーの数字キーを使って増減し、再度イメージの画面にて認識したい場合には、テンキー部２２のレイアウトキーを押下することで、再度、図１６に示すイメージ画像を確認することができる。
【００４１】
尚、背景画像である用紙イメージデータは前記「ＡＡＡ」などの印字項目イメージデータより下層になるようにＣＰＵ３１の制御に基づき階層構造的に重ねて表示される。また、この場合、上記したアイテム編集で「ＡＡＡ」に関するレイアウト情報（例えば、図１３〜１５）に基づき、図１６のイメージ画像を表示させているため、表示されている「ＡＡＡ」のみがテンキー２２からの入力信号に基づき印字位置を移動させることができる。この場合他の「ＢＢＢ」などは単に表示されているだけである。
【００４２】
そして、「ＢＢＢ」の位置を変更したい場合は、図１９に示す画面に戻り「ＢＢＢ」を選択し、「ＡＡＡ」同様、図１３〜１５に該当する画面で、レイアウトキーを押下することで図４の印字フォーマットファイルの「ＢＢＢ」と関連づけられている用紙イメージデータとフォーマット番号１に設定されている各印字項目イメージデータとを重ねて表示することができ、その画面で「ＡＡＡ」同様に「ＢＢＢ」の位置を上下左右移動させることができる。
【００４３】
つまり、図１６に該当する画面でテンキー部２２の数字キーの２、４、６、８を押すと、図１５に示す画面の水平Ｘ座標、垂直Ｙ座標がずれる（８は上へ、６は右へ、４は左へ、２は下へ）。これら数字キーを押しつづけるとその方向へ連続して動く。それぞれのキーからの信号に基づき、ＣＰＵ３１の制御によりタッチパネル制御部３５を介して、印字位置がずれた表示を表示操作部２１の液晶表示部に表示する。
【００４４】
例えば、図１６に示す画面によれば、センターの「ＡＡＡ」の印字位置が、右隣のコースの領域へずれているので、数字キーの“４”を押すことで「ＡＡＡ」の印字基準値を左へずらす、つまり水平Ｘ座標を変更することができる。印字位置を変更し、図１６のイメージ画像画面から抜ける場合はテンキー部の“消去”キーを押す。この消去キー信号をＣＰＵ３１が受信すると、ＣＰＵ３１は設定するか否かのメッセージを画面表示し、“設定する”が押下されることで当該アイテム編集のデータが上書き保存される。
【００４５】
また、用紙イメージデータと印字項目イメージデータとを異なる色で表示するようにすれば両データの位置関係などのマッチングが容易に判断できる。その際、表示する用紙イメージ、印字項目イメージデータとを異なった色で、且つ、予め決った色で表示するようにしても良い。また、用紙イメージデータが色付きである場合にはその色で表示させるようにしても良い。
【００４６】
図１８に、印字フォーマットデータ作成から印字内容確認までの動作のフローチャートを示す。
以下、図１８に示すフローチャートを参照しながら纏めの意味で動作説明を行う。まず、フォーマット設定のために、呼び出すフォーマット名を入力する（ＳＴ１）。新規の場合には新たにフォーマット名が記憶される（図９）。続いてパラメータ設定が行なわれる。ここでは、図１０、図１１に示す画面を用いて実行され、ラベルサイズ、背景画像の種類などの設定が行われる（ＳＴ２）。
続いてアイテム編集にて、図１２〜図１５、図１９に示す画面を用いて各印字項目の印字データが設定されると共に、フォントタイプ、文字幅、文字高などのレイアウト情報が設定される。（ＳＴ３）。
【００４７】
以上の操作の後、全ての印字項目についての作成されたかがチェックされ（ＳＴ４）、作成されていなければ他の印字項目についても作成する。そして、全ての印字項目について作成が済んでいた場合、レイアウト確認を実行する（ＳＴ５）。すなわち、図１３、図１４、図１５のいずれかに示す画面を用いてテンキー部２２のレイアウトキーを押下する。このことにより、図１６に示すイメージ画像が表示される（ＳＴ６）。
ここでオペレータは、表示イメージを確認して、印字エリアなどを変更する場合は（ＳＴ７）、テンキー部２２の消去キーを押下することで、図１３、図１４、図１５に示されるいずれかの画面を用いてレイアウトキーを押下したアイテム編集画面に戻る（ＳＴ３）。そして、変更なく、印字位置などを確認できた場合は、テンキー部２２の消去キーを押下して設定画面に戻る。
【００４８】
このことにより、印字フォーマットを作成する操作の中で、印字項目イメージデータと用紙イメージデータとを重ねて表示し、且つ、位置の修正などを行うことができるため操作性が向上する。
以上により印字フォーマットを作成し、設定した背景画像の種類（用紙イメージデータ）と印字項目イメージデータの位置関係などを画面上で確認したのちに、図７に示すメイン画面の発行モードから入り、設定した印字フォーマットを呼び出し、テンキー部２２の発行キーを押すことで所定事項が正しい位置や大きさ等で印字されたラベルが印字される。複数枚のラベル同時に印字したい場合は枚数分の数字キーと共に発行キーを押下すると、該枚数分のラベルが印字される。
以上、新たに印字フォントデータを作成するところから説明したが、これに限らず図９で設定してある印字フォーマットを呼び出し、図１０を経て、図１２〜１５へ遷移し、定されている用紙イメージデータと印字項目イメージデータとを重ねて表示し、その位置関係を確認するようにしても良い。
【００４９】
以上説明のように本発明は、印字フォーマットファイルの印字フォーマット毎に用紙イメージデータが関連付けられ、印字フォーマットに基づく印字項目イメージデータと当該印字フォーマットに関連付けられた用紙イメージデータとを重ね表示することにより、事前印字されたラベルであっても、設定した印字フォーマットがそれに合っているか否かをラベル印字することなく画面上で容易に確認することができるものである。
なお、本発明のラベルプリンタをＰＣと通信可能な状態で接続し、ＰＣで作成した用紙イメージデータをラベルプリンタの用紙イメージファイルに送信して記憶させるようにしても良い。また、本発明のラベルプリンタを、計量機能を有するラベルプリンタに用いても良く、更に、包装機と組み合わせて使用しても良い。
また、図１３から図１５に示す画面で、レイアウトキーを押下し、印字項目イメージデータと、用紙イメージデータとを重ねて表示させるようにしたが、これに限られない。つまり、印字フォーマットが特定され、それに関連付けれられている用紙イメージデータも特定される操作画面があればよい。
【図面の簡単な説明】
【００５０】
【図１】本発明実施形態の内部構造の一例を示す図である。
【図２】本発明実施形態の外観構造を正面から見た図である。
【図３】本発明実施形態の電気系の構成を示すブロック図である。
【図４】本発明実施形態の印字フォーマットの一例を示す図である。
【図５】本発明実施形態の用紙イメージファイルの一例を示す図である。
【図６】本発明実施形態で使用される事前印字がなされているラベルの一例を示す図である。
【図７】本発明実施形態で用いられる画面構成の一例を示す図である。
【図８】本発明実施形態で用いられる画面構成の一例を示す図である。
【図９】本発明実施形態で用いられる画面構成の一例を示す図である。
【図１０】本発明実施形態で用いられる画面構成の一例を示す図である。
【図１１】本発明実施形態で用いられる画面構成の一例を示す図である。
【図１２】本発明実施形態で用いられる画面構成の一例を示す図である。
【図１３】本発明実施形態で用いられる画面構成の一例を示す図である。
【図１４】本発明実施形態で用いられる画面構成の一例を示す図である。
【図１５】本発明実施形態で用いられる画面構成の一例を示す図である。
【図１６】本発明実施形態で用いられる画面構成の一例を示す図である。
【図１７】本発明実施形態で用いられる画面構成の一例を示す図である。
【図１８】本発明実施形態の動作を示すフローチャートである。
【図１９】本発明実施形態で用いられる画面構成の一例を示す図である。
【符号の説明】
【００５１】
１３…印字部、２１…表示操作部、２２…テンキー部、２５…ラベル発行口、３１…ＣＰＵ、３２…ＲＯＭ、３３…ＲＡＭ、３５…タッチパネル制御部
【図１】
2005254499.tif 000003
【図２】
2005254499.tif 000004
【図３】
2005254499.tif 000005
【図４】
2005254499.tif 000006
【図５】
2005254499.tif 000007
【図６】
2005254499.tif 000008
【図７】
2005254499.tif 000009
【図８】
2005254499.tif 000010
【図９】
2005254499.tif 000011
【図１０】
2005254499.tif 000012
【図１１】
2005254499.tif 000013
【図１２】
2005254499.tif 000014
【図１３】
2005254499.tif 000015
【図１４】
2005254499.tif 000016
【図１５】
2005254499.tif 000017
【図１６】
2005254499.tif 000018
【図１７】
2005254499.tif 000019
【図１８】
2005254499.tif 000020
【図１９】
2005254499.tif 000021